(57)【特許請求の範囲】
【請求項１】
一般式ＩＡおよびＩＢ
0004201832.tif 000010
［式中、
Ｒはセルロースまたはアミロース基であり、この中でＯＨ基は−ＯＣＯＡｒとしてエステル化されているか、または−ＯＣＯＮＨＡｒとしてカルバメート化されており、
Ａｒは置換または未置換フェニルであり、
Ｒ1およびＲ2は各々独立してＣ1-4アルキル、または未置換もしくは置換アリールであり、
Ｘは直接結合であるか、またはフェニレンであり、
ｍは０または１であり、および
ｎは０または１から20までの整数である］
のいずれかで示される光化学的に架橋した多糖誘導体。
【請求項２】
Ｒ1およびＲ2が各々独立してメチルまたはエチル、あるいは未置換または置換フェニルであり、および
ｎが０または１から20までの整数である、請求項１に記載の光化学的に架橋した多糖誘導体。
【請求項３】
Ｒがセルロース基であり、
Ｒ1およびＲ2が各々メチルであり、および
ｎが０または１から12までの整数である、請求項１に記載の光化学的に架橋した多糖誘導体。
【請求項４】
一般式II
0004201832.tif 000011
［式中、
Ｒはセルロースまたはアミロース基であり、この中でＯＨ基は−ＯＣＯＡｒとしてエステル化されているか、または−ＯＣＯＮＨＡｒに変換されており、
Ａｒは置換または未置換フェニルであり、
Ｒ1およびＲ2は各々独立してＣ1-4アルキル、または未置換もしくは置換アリールであり、
Ｘは直接結合であるか、またはフェニレンであり、
ｍは０または１であり、および
ｎは０または１から20までの整数である］
で示される多糖化合物。
【請求項５】
Ｒ1およびＲ2が各々独立してメチルまたは未置換もしくは置換フェニルである、請求項４に記載の多糖化合物。
【請求項６】
Ｒ1およびＲ2がメチルである、請求項４に記載の多糖化合物。
【請求項７】
一般式III
0004201832.tif 000012
［式中、
Ｒ3は遊離ＯＨ基を有するセルロースまたはアミロース基であり、
Ｒ1およびＲ2、Ｘ、ｍおよびｎは請求項４で定義した通りである］
で示される化合物をエステル化またはカルバメート化試薬と反応させて、遊離ＯＨ基を−ＯＣＯＡｒまたは−ＯＣＯＮＨＡｒ（Ａｒは置換または未置換フェニルである）にエステル化またはカルバメート化する、請求項４に記載の多糖化合物の製造法。
【請求項８】
一般式IIIで示される化合物のエステル化を反応性カルボン酸官能誘導体を用いて行う、請求項7に記載の方法。
【請求項９】
一般式IIIで示される化合物のカルバメート化をイソシアネートを用いて行う、請求項7に記載の方法。
【請求項１０】
イソシアネートを用いた反応を触媒としてルイス塩基またはルイス酸の存在下で行う、請求項9に記載の方法。
【請求項１１】
一般式III
0004201832.tif 000013
［式中、
Ｒ3は遊離ＯＨ基を有するセルロースまたはアミロース基であり、
Ｒ1およびＲ2は各々独立してＣ1-4アルキルまたは未置換もしくは置換アリールであり、
Ｘは直接結合であるか、またはフェニレンであり、
ｍは０または１であり、および
ｎは０または１から20までの整数である］
で示される多糖化合物。
【請求項１２】
Ｒ1およびＲ2が各々独立してメチルまたは未置換もしくは置換フェニルである、請求項11に記載の多糖化合物。
【請求項１３】
Ｒ1およびＲ2が各々メチルである、請求項11に記載の多糖化合物。
【請求項１４】
遊離ＯＨ基を有するセルロースまたはアミロースを、触媒の存在下で、式ＩＶ
0004201832.tif 000014
［式中、
Ｒ1、Ｒ2、ｎおよびＸは請求項11で定義した通りであり、Ｚはイソシアネート基（-Ｎ=Ｃ=Ｏ）またはカルボン酸ハライド基である］
で示されるイミジルカルボン酸ハライドまたはイソシアネートを用いてエステル化またはカルバメート化する、請求項11の化合物の製造法。
【請求項１５】
遊離ＯＨ基を有するセルロースまたはアミロースを、塩基性縮合剤存在下で式ＩＶで示されるイミジルカルボン酸ハライドと反応させる、請求項14に記載の方法。
【請求項１６】
遊離ＯＨ基を有するセルロースまたはアミロースを、ジラウリン酸ジブチルすず存在下、式ＩＶで示されるイミジルイソシアネートと反応させる、請求項14に記載の方法。
【請求項１７】
（１）一般式II
0004201832.tif 000015
［式中、
Ｒ、Ｒ1およびＲ2、ｎおよびｍは請求項１の式ＩＡおよびＩＢで定義した通りである］
で示される化合物を、保持体のコーティングとして、または調製した後、純物質エマルジョンとして適用し、そして
（２）照射することにより一般式IIの化合物を架橋し、一般式ＩＡおよびＩＢで示される化合物を形成させる、請求項１に記載の多糖誘導体の製造法。
【請求項１８】
架橋を可浸性（submersible）水銀灯を用いた照射により行う、請求項17に記載の方法。
【請求項１９】
コーティングされる保持体がシリカゲル、酸化アルミニウム（アルミナ）、グラファイトまたは酸化ジルコニウムである、請求項17に記載の方法。
【請求項２０】
不活性溶媒を懸濁液の調製に使用する、請求項17に記載の方法。
【請求項２１】
クロマトグラフィー法における固定相としての、請求項１に記載の一般式ＩＡまたはＩＢで示される光化学的に架橋した多糖誘導体の使用。
【請求項２２】
クロマトグラフィー法がエナンチオマーの分離用である、請求項21に記載の方法。
【発明の詳細な説明】
本発明は、エナンチオマーのクロマトグラフィー分割の保持体として使用する実質的に光化学的に架橋した多糖誘導体に関するものである。
ＤＥ-Ａ-2 422 365では、無水物含有残基を有する光重合に適したポリマーを記載しており、これは機械的に活性な光を用いて、保護的焼付け成分や感光板の保護的焼付け網の製造に適した耐性物質へと変換される。
N.R.Bertoniere等はJ.APPl.Polymer Sci.,Vol.15,（1971）1743で、置換基として桂皮酸エステル（シナモイル基）を有する綿織物を記載しており、これは特定の波長（2573Å）の光を用いて照射すると、光化学反応が主に織物の表面でおこり、始めに異性化し、ついで二量化してトルキシル酸およびトルキシニル酸誘導体となる。
2つのアメリカ合衆国特許出願番号2 682 481および2 682 482号では、不飽和官能基を有する可溶性炭水化物、特にセルロース誘導体を、過酸化物触媒を用いて加熱し二量化するか、またはさらに架橋することにより不溶性表面を有する成形物体に変換する方法が記載されている。
E.Yashima等は、J.Chromatography Ａ，677（1994），11-19で、特異的選択部位でシリカゲルに結合し、またＨＰＬクロマトグラフィー（高速液体クロマトグラフィー）用のキラル固定相として使用されている、セルロースおよびアミロースの3,5-ジメチルフェニルカルバメートを記載している。セルロースおよびアミロースの3,5-ジメチルフェニルカルバメートは中間物質の4,4-ジフェニルメタンイソシアネートを介して、3-アミノプロピルシリカゲルに結合している。これらの化学的に結合した相は、ＣＨＣｌ3（クロロホルム）のような極性溶媒により損傷されないので、ラセミ体およびエナンチオマーの効果的な分割のために少量のＣＨＣｌ3を溶離溶媒に加え得る。
Y.Okamoto等はJ.Liquid Chromatography 10，1613-1628（1987）で、4,4-ジフェニルメタンイソシアネートを介して、3-アミノプロピルシリカゲルに化学的に結合しているセルロース-トリス（3,5-ジメチルフェニルカルバメート）および-トリス（3,5-ジクロロフェニルカルバメート）について記載している。
製造の第一段階として、始めにセルロースをジイソシアネートを介して3-アミノプロピルシリカゲルに結合させる。反応生成物を3,5-ジメチルフェニルイソシアネートまたは3,5-ジクロロフェニルイソシアネートの過剰量で処理し、対応するセルロースのカルバメートとする。
キラル固定相の光学分割能は、セルローストリフェニルカルバメートでシリカゲルをコーティングしたものと比較し、また熱処理により固定相のキラル分割能を変化させることが可能である。
1994年10月のストックホルムでの第5回国際シンポジウムで発表された『On Chiral Discrimination』と題するポスターで、L.Oliveros等は保持体上に固定したセルロース3,5-ジメチルフェニルカルバメートで構成される固定相について記載している。ポスターでの資料からは、キラル物質が固定されているかどうかおよび先行技術の既知物質よりも何か際立つ利点があるかどうかは明らかでない。
本発明は一般式ＩＡおよびＩＢ
0004201832.tif 000002
［式中、
Ｒは多糖残基であり、この中でＯＨ基はＯＲ’基としてエステル化されているか、またはカルバメート（ウレタン）に変換されており、
Ｒ1およびＲ2は各々独立して低級アルキル、または未置換あるいは置換アリールであり、
Ｘは直接結合しているか、またはフェニレンであり、
ｍは0または1であり、および
ｎは0または1から20までの整数である］
で示される光化学的に架橋した多糖誘導体に関するものである。
本発明は特に一般式ＩＡおよびＩＢ
［式中、
Ｒはセルロースまたはアミロース基であり、この中でＯＨ基はＯＲ’基としてエステル化されているかまたはカルバメート（ウレタン）に変換されており、
Ｒ1およびＲ2は各々独立してメチルまたはエチルまたは未置換または置換フェニルであり、および
Ｘは直接結合しているかまたはフェニレンであり、
ｍは0または1であり、および
ｎは0または1から20までの整数である］
で示される光化学的に架橋した多糖誘導体に関するものである。
特に、一般式ＩＡおよびＩＢ
［式中、
Ｒはセルロース基であり、この中でＯＨ基はＯＲ’基としてエステル化されているかまたはカルバメート（ウレタン）に変換されており、
Ｒ1およびＲ2はメチルであり、および
Ｘは直接結合しているか、またはフェニレンであり、
ｍは0または1であり、および
ｎは0または1から12までの整数である］
で示される光化学的に架橋した多糖誘導体が極めて重要である。
本発明は実施例で特徴づけられる式ＩＡおよびＩＢで示される化合物に関するものである。
全記述において、低級残基および化合物は、例えば7を含めた7までの、好ましくは4を含めた4までの炭素原子（Ｃ原子）を有するものと理解される。
多糖類は、例えばセルロース、アミロース、キトサン、デキストラン、キシランおよびイヌリンであり、これらは高純度の多糖類として入手可能である。好ましくは少なくとも5、特に少なくとも10、しかし扱い易くするために1000を超えない重合度（ピラノースおよびフラノース環の数）を有する多糖類である。
低級アルキルは、例えばトリフルオロメチルまたはトリクロロメチルのようなフッ素または塩素のようなハロゲンで置換され得るメチル、エチル、プロピルまたはブチルといった例えばＣ1−Ｃ4アルキルである。
アリールは、例えば1-または2-ナフチルのようなナフチルまたはフェニル、または低級アルキル、ハロ-低級アルキル、ヒドロキシ、低級アルコキシ、低級アルカノイルオキシ、ハロゲン、シアノおよび／またはニトロにより置換されているフェニルまたはナフチルのような置換フェニルまたはナフチルである。
アリールは好ましくは上記に示したような未置換または置換フェニルであり、特にフェニルである。
低級アルコキシは、例えばｎ-プロポキシ、イソプロポキシ、ｎ-ブトキシまたはtert-ブトキシ、好ましくはエトキシおよび特にメトキシである。
低級アルカノイルオキシは、例えばプロピオニルオキシまたはピバロイルオキシ、好ましくはアセチルオキシである。
ハロゲンは、例えば塩素またはフッ素、また臭素またはヨウ素である。
ハロ−低級アルキルは、例えば2-ハロ-低級アルキル、2-ハロプロピル、3-ハロプロピルまたは3-ハロ-2-メチル-プロピルのような2-または3-ハロ-低級アルキルである。
一般式ＩＡおよびＩＢで示される化合物は一般式II
0004201832.tif 000003
［式中、
Ｒは多糖残基であり、この中でＯＨ基はＯＲ’基としてエステル化されているか、またはカルバメート（ウレタン）に変換されており、
Ｒ1およびＲ2、ｎおよびｍは式ＩＡおよびＩＢで定義した通りである］
で示される化合物を、前以て保持体のコーティングとして適用した後、または前以て整えた後、エマルジョンを用いて純物質の形とし、これを（ｈｖ）照射することにより一般式ＩＡおよびＩＢで示される化合物を形成する。
架橋は可浸性水銀灯を用いた照射により行う。適当な懸濁剤は、例えば、例えばヘキサンのような炭化水素または例えばメタノール、エタノール、プロパノールまたはイソプロパノールのような低級アルカノール、またはそれらの水性混合物、または例えばジエチルエーテルのようなエーテル系溶媒などの不活性溶媒である。
保持体として、シリカゲルのような二酸化ケイ素、特にアミノシラン化したシリカゲル、また酸化アルミニウム（アルミナ）、グラファイトおよび酸化ジルコニウム（zirconia）を使用し得る。
一般式II
［式中、
Ｒは多糖残基であり、この中でＯＨ基はＯＲ’基としてエステル化されているか、またはカルバメート（ウレタン）に変換されており、
Ｒ1およびＲ2、Ｘ、ｍおよびｎは式ＩＡおよびＩＢで定義した通りである］
で示される多糖化合物は新規であり、本発明の一部を成すものであり、これは既知方法により製造し得る。
特に重要には一般式II
［式中、
Ｒはセルロースまたはアミロース基であり、この中でＯＨ基はＯＲ’基としてエステル化されているか、またはカルバメート（ウレタン）に変換されており、
Ｒ1およびＲ2は各々独立してメチルまたは未置換もしくは置換フェニルであり、
Ｘ、ｍ、およびｎは式ＩＡおよびＩＢで定義した通りである］
で示される化合物である。
特に大変重要には、一般式II、
［式中、
Ｒはセルロースであり、この中でＯＨ基はＯＲ’基としてエステル化されているか、またはカルバメートに変換されており、および
Ｒ1およびＲ2はメチルであり、および
Ｘ、ｍおよびｎは式ＩＡおよびＩＢで定義した通りである］
で示される化合物である。
一般式IIで示される化合物は以下のように製造する：
一般式III
0004201832.tif 000004
［式中、
Ｒ3は遊離ＯＨ基を有する多糖残基であり、
Ｒ1およびＲ2、Ｘ、ｍおよびｎは式ＩＡおよびＩＢで定義した通りである］
で示される式IIIで示される化合物において、遊離ＯＨ基をＯＲ’基としてエステル化するかまたはカルバメート（ウレタン）に変換する。
エステル化およびカルバメートの製造はイソシアネートまたは反応性カルボン酸官能誘導体を用いた反応により既知方法に従って行う。
例えば、エステル化は未置換または置換ハロゲン化ベンゾイル、特に塩化ベンゾイル、対応するカルボン酸無水物または対応するカルボン酸と適当な脱水剤の混合物を用いて行い得る。
エステル化には、エステル化を妨げないどのような不活性溶媒をも使用し得る。好ましくはピリジンまたはキノリンを使用し、例えば4-（Ｎ,Ｎ-ジメチルアミノ）ピリジンのような３級アミンといった触媒も一般的には加える。
カルバメートの製造は慣用的には適当な触媒の存在下で適当なイソシアネートを用いた反応により行われる。触媒として例えば３級アミンのルイス塩基、または例えばスズ化合物といったルイス酸をも使用し得る。反応は好ましくは例えばピリジンまたはキノリンといった３級アミン（これは同時に溶媒ともなる）の存在下で行うが、好ましくは反応促進剤として３級塩基の4-（Ｎ,Ｎ-ジメチルアミノ）ピリジンをも使用する。
エステル化によりＯＨ基を対応するＯＲ’基に変換するために、またはカルバメートの製造のために、特に未置換または置換塩化ベンゾイルまたはフェニルイソシアネートを使用する。好ましくはクロロ-またはメチル-置換、特にモノ-、またはジ-置換クロロ-および／またはメチル-置換を使用し、フェニルイソシアネートまたは塩化ベンゾイル、およびメチル基は互いにメタ-，またはオルト-位であり得る。
一般式IIIで示される化合物は新規であり本発明はそれに関するものである。
特に重要には、一般式III
［式中、
Ｒ3は遊離ＯＨ基を有するセルロースまたはアミロースであり、Ｒ1およびＲ2は各々独立してメチルまたは未置換もしくは置換フェニルであり、Ｘ、ｍおよびｎは式ＩＡおよびＩＢで定義した通りである］
で示される多糖化合物である。
特に重要なのは、一般式III
［式中、
Ｒ3は遊離ＯＨ基を有するセルロースまたはアミロースであり、Ｒ1およびＲ2はメチルであり、Ｘ、ｍおよびｎは式ＩＡおよびＩＢで定義した通りである］
で示される多糖化合物である。
一般式IIIで示される化合物は、適当な場合には触媒の存在下、遊離ＯＨ基を有する多糖類を式ＩＶ
0004201832.tif 000005
［式中、
Ｒ1、Ｒ2、ｎおよびＸは式ＩＡおよびＩＢで定義した通りであり、Ｚはイソシアネート基（-Ｎ=Ｃ=Ｏ）またはカルボン酸ハロゲニド基、特にカルボン酸クロリド基である］
で示されるイミジルカルボン酸ハライドまたはイソシアネートを用いてカルバメートに変換するか、またはエステル化することにより得られる。反応は前述のように行う。
例えば、酸塩化物との反応は、例えばトリエチルアミンのようなトリ-低級アルキルアミンといった３級有機塩基、またはピリジンまたはキノリン、特にジメチルアミノピリジンのような有機窒素塩基といった塩基性縮合剤の存在下で、10から130℃の温度範囲で、好ましくは20から90℃の温度範囲で行う。
式ＩＶで示されるイミジルイソシアネートとの反応は、適当な場合には例えばジラウリン酸ジブチルすずのような触媒の存在下、例えばピリジンのような懸濁化剤中で行う。
一般式ＩＶ（Ｚはカルボン酸クロリド基（-ＣＯＣｌ）である）で示されるいくつかの化合物は既知であり、ＣＨ-Ａ-599 153に記載の方法により製造し得る。その他についても同様の方法で製造し得る。
相応じて得られた式ＩＶで示される（2,5-ジヒドロ-3,4-（2置換）-2,5-ジオキソ-ピロール-1-イル）-カルボン酸クロリドから、塩化ベンジルトリエチルアンモニウムの存在下、トルエン中でアジ化ナトリウム水溶液と反応させることにより一般式ＩＶで示される対応するイソシアネートが得られ得る。
本発明に記載の光化学的に架橋した多糖類である一般式ＩＡおよびＩＢで示される化合物は、驚くべきことに、移動相が塩化メチレン（ＣＨ2Ｃｌ2）、テトラヒドロフランおよびクロロホルムから成るとき保持体として適しており、驚くべきことに先行技術から既知の保持体よりもはるかに優れている。
塩化メチレン、またはテトラヒドロフランまたはジオキサンから成る移動相を用いたエナンチオマーの分割は、驚くほどに、有利に進行し得る。
あるラセミ体の場合には特に、塩化メチレンの特定量を移動相として使用したときに、先行技術の保持体よりも良好な分割結果が得られた。そのような分割結果における驚くべき改善は塩化メチレンの使用が寄与している。
調整された形態の一般式ＩＡおよび式ＩＢで示される光化学的に架橋した多糖類はまたエナンチオマーのクロマトグラフィー分割用の純粋なポリマーとして使用し得る。
製造の部（実施例）の末尾に、様々なエナンチオマーのクロマトグラフィー分割が記載され、詳細に説明されている。
以下の実施例（出発原料および中間体の製造を含んでいる）は本発明を説明しさらに明確にしたものである。
温度は摂氏であり、圧力は、特記しない限りバールである。
中間体１．
塩化（2,5-ジヒドロ-3,4-ジメチル-2,5-ジオキソ-ピロール-1-イル）-アセチルの製造
（2,5-ジヒドロ-3,4-ジメチル-2,5-ジオキソ-ピロール-1-イル）酢酸183.2g（1mol）をトルエン360ml中に懸濁する。溶液を水分離器を用いて16時間加熱還流する。その間、約40mlのトルエン／水が共沸蒸留で蒸留除去される。ついで溶液を70℃に冷却し塩化チオニル76.3mlを90分間かけて滴下し加える。ガスの発生が止まるとすぐに（約2時間）、温度を90℃に上昇させ2時間、ついで30分間110℃に上げる。冷却後、溶液を濃縮する。液体残渣を蒸留し、182-184℃で沸騰する分画を取得する。収量：172.5g（85.5％）。元素分析：計算値：Ｃ 46.66; Ｈ 4.00; Ｎ 5.95; Ｏ 23.81; Ｃl 17.58。実測値：Ｃ 49.42; Ｈ 4.21; Ｎ 6.71; Ｏ 22.93; Ｃl 16.83。1Ｈ-ＮＭＲ（ＣＤＣｌ3）：2（s, CH3）、4.63（s, CH2）。
中間体2．
（2,5-ジヒドロ-3,4-ジメチル-2,5-ジオキソ-ピロール-1-イル）-メチルイソシアネートの製造
激しく撹拌しながら、アジ化ナトリウム水溶液（26.3gの水80ml溶液）、トルエン160mlおよび塩化ベンジルトリエチルアンモニウム1.5mlからなる混合物をスルホン化フラスコ750ml中で約10℃に冷却する。酸塩化物1の80.64gを約40分かけて滴下し加える。ついで溶液を15℃で1時間、ついで20℃で1時間撹拌し続ける。有機層を分液漏斗中で分け、続けて2Ｎ炭酸水素ナトリウム水溶液および水で洗浄する。有機層を硫酸ナトリウムで乾燥させ濾過する。濾液をスルホン化フラスコ750ml中に入れ、ゆっくりと加熱し還流温度にする。窒素ガスの発生が止まるまで還流を行う。ついで溶液をさらに30分間加熱還流し、冷却後、丸底フラスコに注ぐ。溶液を回転蒸発機を用いて濃縮し、残渣を高真空下（0.045mmHg）で蒸留する。沸点：90℃。収量：64.3g（89.2％）。元素分析：計算値：Ｃ 53.33; Ｈ 4.48; Ｎ 15.55; Ｏ 26.64。実測値：Ｃ 53.17; Ｈ 4.51; Ｎ 15.61; Ｏ 26.80。1Ｈ-ＮＭＲ（ＣＤＣl3）：2（s, CH3）、4.95（s, CH2）。
中間体3．
2-（2,5-ジヒドロ-3,4-ジメチル-2,5-ジオキソ-ピロール-1-イル）-ブタン酸クロリドの製造
2-（2,5-ジヒドロ-3,4-ジメチル-2,5-ジオキソ-ピロール-1-イル）-ブタン酸30.1gをトルエン50ml中に懸濁する。溶液を水分離器を用いて16時間加熱還流する。その間、約50mlのトルエン／水が共沸蒸留し、蒸留除去される。ついで溶液を70℃に冷却し、塩化チオニル12.4mlを90分間かけて滴下し加える。ガスの発生が止まるとすぐに（約2時間）、温度を90℃に上昇させ2時間ついで30分間で110℃まで上昇させる。冷却後、溶液を回転蒸発器を用いて濃縮する。固体残渣を単離し高真空下で乾燥させる。融点：68℃。収量：32.5g（99.3％）。元素分析：計算値：Ｃ 52.30; Ｈ 5.27; Ｎ 6.10; Ｏ 20.90; Ｃl 15.44。
実測値：Ｃ 53.60; Ｈ 5.30; Ｎ 6.15; Ｏ 21.33; Ｃl 14.40。1Ｈ-ＮＭＲ（ＣＤＣl3）：1.93（quint, CH2）、1.95（s, CH3）、2.37（t, CH2）、3.55（t, CH2）。
中間体4．
4-（2,5-ジヒドロ-3,4-ジメチル-2,5-ジオキソ-ピロール-1-イル）-1-プロピルイソシアネートの製造
中間体2の製造と同様に、酸塩化物3の37.8gをトルエン80ml中で塩化ベンジルトリエチルアンモニウム0.7gの存在下、アジ化ナトリウム10.9g（水40ml溶液）と反応させる。アジ化アシルの転位後、溶液を濃縮し、残渣を高真空下（0.075mmHg）で蒸留する。88-100℃で沸騰する分画を集める。収量：5.8g（17％）。元素分析：計算値Ｃ 57.69; Ｈ 5.81; Ｎ 13.45; Ｏ 23.05。実測値：Ｃ 57.47; Ｈ 5.86; Ｎ 13.23; Ｏ 23.21。1Ｈ-ＮＭＲ（ＣＤＣl3）：1.84（quint, CH2）、1.94（s, CH3）、3.30（t, CH2）、3.55（t, CH2）。ＩＲ（ＣＤＣl3）：2240cm-1、イソシアネート；1890cm-1、アミド。
中間体5．
2-（2,5-ジヒドロ-3,4-ジメチル-2,5-ジオキソ-ピロール-1-イル）-ヘキサン酸クロリドの製造
2-（2,5-ジヒドロ-3,4-ジメチル-2,5-ジオキソ-ピロール-1-イル）-ヘキサン酸71.5gをトルエン150ml中に懸濁し、溶液を水分離器を用いて16時間加熱還流する。その間、約5mlのトルエン／水が共沸蒸留し蒸留除去される。ついで溶液を70℃まで冷却し、塩化チオニル22.5mlを90分間かけて滴下し加える。ガスの発生が止まるとすぐに（約2時間）、温度を2時間で90℃に上昇させ、ついで30分間で110℃まで上昇させる。冷却後、溶液を回転蒸発器を用いて濃縮する。固体残渣を単離し高真空下で乾燥させる。収量：70.9g（92％）。融点：43℃。1Ｈ-ＮＭＲ（ＣＤＣl3）：1.2-1.4（m, CH2）、1.45-1.75（m, CH2）、1.92（s, CH3）、2.85（t, CH2）、3.45（t, CH2）。
中間体6．
5-（2,5-ジヒドロ-3,4-ジメチル-2,5-ジオキソ-ピロール-1-イル）-1-ペンチルイソシアネートの製造
中間体2の製造と同様に、酸塩化物5の51.5gをトルエン200ml中で塩化ベンジルトリエチルアンモニウム0.4gの存在下でアジ化ナトリウム13.1g（水30ml溶液）を用いて反応させる。アジ化アシルの転位後、溶液を回転蒸発器を用いて濃縮し、残渣を高真空下（0.045mmHg）で蒸留する。123-125℃で沸騰する分画を集める。収量：36.6g（79％）。元素分析：計算値Ｃ 61.00; Ｈ 6.83; Ｎ 11.86; Ｏ 20.31。実測値：Ｃ 61.00; Ｈ 6.88; Ｎ 11.80; Ｏ 20.41。1Ｈ-ＮＭＲ（ＣＤＣl3）：1.2-1.35（m, CH2）、1.45-1.60（m, CH2）、1.88（s, CH3）、3.23（t, CH2）、3.41（t, CH2）。ＩＲ（ＣＨ2Ｃl2）：2250cm-1、イソシアネート；1885cm-1、アミド。
中間体7．
4-（2,5-ジヒドロ-3,4-ジメチル-2,5-ジオキソ-ピロール-1-イル）-安息香酸クロリドの製造
4-アミノ安息香酸48g（0.35mol）を水酸化ナトリウム水溶液（ＮａＯＨ 14gの水300ml溶液）に溶解する。その混合物に、撹拌しながら、ジメチルマレイン酸無水物44.2gのジメチルアセトアミド300ml溶液に滴下し加える。ついで溶液を90℃に加熱し、1.30時間後に塩酸水溶液（2Ｎ）175mlを加える。塩酸を加えた後、溶液を室温まで冷却し、撹拌器の電源を切る。沈殿した結晶生成物を濾別し、水で洗浄し真空で60℃で乾燥させる。収量：73.6g（85.7％）。融点：230-231℃。その中間体73.6gを乾燥トルエン700mlに懸濁する。70℃で塩化チオニル32mlを滴下し加える。ガスの発生が止まるとすぐに（約2時間）、温度を2時間で80℃に上昇させる。冷却後、溶液を回転蒸発器を用いて濃縮する。固体残渣をトルエンから再結晶し、ついで60℃で乾燥させる。収率：88％。融点：199-200℃。1Ｈ-ＮＭＲ（ＣＤＣl3）：2.08（s, CH3）、7.68（d，フェニル）、8.20（d，フェニル）。
中間体8．
4-（2,5-ジヒドロ-3,4-ジメチル-2,5-ジオキソ-ピロール-1-イル）-フェニルイソシアネートの製造
激しく撹拌しながら、アジ化ナトリウム水溶液（4.6gの水14ml溶液）、トルエン28mlおよび塩化ベンジルトリエチルアンモニウム0.5gからなる混合物をスルホン化フラスコ250ml中で約0℃に冷却する。その溶液に酸塩化物7の18.5gを約40分かけて滴下し加える。ついで溶液を1時間50℃で、ついで室温で20時間撹拌する。酢酸エチル150mlを溶液に加え、混合物を分液漏斗中で酢酸エチル600mlと水200mlを用いて希釈する。有機層を分離し、各水200mlで3回洗浄し、硫酸ナトリウムを用いて乾燥させ濾過する。濾液を2lの丸底フラスコ中に入れ、回転蒸発器を用いて約600mlとなるまで35℃で濃縮する。溶液をゆっくりと約60-70℃まで加熱し、その温度は窒素ガスの発生が止まるまで（約1時間）維持する。酢酸エチルを蒸留除去し、ついで残渣を水流ポンプ下で1時間130℃で乾燥させる。明黄色の固体残渣を更に精製することなく使用する。収量：16.8g（98％）。元素分析：計測値：Ｃ 64.46; Ｈ 4.16; Ｎ 11.56; Ｏ 19.81。実測値：Ｃ 64.45; Ｈ 4.23; Ｎ 11.75; Ｏ 19.66。1Ｈ-ＮＭＲ（ＣＤＣl3）：2.07（s, CH3）、7.2-7.4（m，フェニル）。
中間体9．
4-（2,5-ジヒドロ-3,4-ジメチル-2,5-ジオキソ-ピロール-1-イル）メチル］-安息香酸クロリドの製造
4-（アミノメチル）安息香酸100g（0.66mol）を水酸化ナトリウム水溶液（ＮａＯＨ 26.4gの水300ml溶液）に溶解する。その溶液に、撹拌しながら、ジメチルマレイン酸無水物83.3gのジメチルアセトアミド500ml溶液を滴下し加える。ついで反応溶液を90℃に加熱し、1.5時間後に塩酸水溶液（2Ｎ）330mlを加える。塩酸を加えた後、溶液を室温まで冷却し、撹拌器の電源を切る。沈殿した結晶生成物を濾別し、水で洗浄し真空下60℃で乾燥させる。収量：155g（90％）。融点：182-183℃。その中間体120gを乾燥トルエン1000mlに懸濁する。70℃で塩化チオニル50mlを滴下し加える。ガスの発生が止まるとすぐに（約2時間）、温度を2時間で80℃に上昇させる。冷却後、溶液を濃縮する。固体残渣をトルエン中で再結晶し、ついで60℃で乾燥させる。収量：155g（80％）。融点：98-99℃。1Ｈ-ＮＭＲ（ＣＤＣl3）：1.98（s, CH3）、4.72（s, CH2）、7.45（d，フェニル）、8.06（d，フェニル）。
中間体10．
セルロースと塩化（2,5-ジヒドロ-3,4-ジメチル-2,5-ジオキソ-ピロール-1-イル）-アセチルとの反応
セルロース（Serva HL、綿のリンターから）10.4gを窒素気流中で浴温度125℃下フラスコ中で4.5時間乾燥させる（乾燥後9.6g）。ついで、ピリジン70ml、トリエチルアミン21ml、ジメチルアミノピリジン0.2gおよび中間体1の1.81gを室温で加える。懸濁液を90℃で24時間撹拌する。冷却後、メタノール850mlを懸濁液に加えついで濾過し、メタノールで洗浄する。残渣をメタノール200ml中に再び懸濁し、1時間室温で撹拌し、濾過し、メタノールで洗浄する。収量：10.3g。元素分析：実測値：Ｃ 42.51; Ｈ 6.49; Ｎ <0.30;Ｏ 51.10。
中間体11．
分解セルロースと塩化（2,5-ジヒドロ-3,4-ジメチル-2,5-ジオキソ-ピロール-1-イル）-アセチルとの反応
分解セルロース（約30の重合度）10.2gを窒素気流中で浴温度125℃下、フラスコ中で6時間乾燥させる（乾燥後9.7g）。ついで、ピリジン60ml、トリエチルアミン21ml、ジメチルアミノピリジン0.2gおよび中間体1の1.81gを室温で加える。懸濁液を90℃で24時間撹拌する。冷却後、メタノール1000mlを懸濁液に加え、ついで濾過し、メタノールで洗浄する。残渣をメタノール200ml中に再び懸濁し、1時間室温で撹拌し、濾過し、メタノールで洗浄する。収量：10.3g。元素分析：実測値：Ｃ 40.91; Ｈ 6.66; Ｎ 0.49; Ｏ 52.10。
中間体12．
セルロースと4-（2,5-ジヒドロ-3,4-ジメチル-2,5-ジオキソ-ピロール-1-イル）-安息香酸クロリドとの反応
中間体10の製造と同様に、セルロース10.4gを塩化ベンゾイル誘導体7の2.4gと反応させる。後処理後の収量：10.4g。元素分析：実測値：Ｃ 43.03; Ｈ 6.48; Ｎ 0.34; Ｏ 50.01。
中間体13．
分解セルロースと4-（2,5-ジヒドロ-3,4-ジメチル-2,5-ジオキソ-ピロール-1-イル）-安息香酸クロリドとの反応
分解セルロース（約30の重合度）1gをピリジン90ml中に懸濁する。その混合物に（2,5-ジヒドロ-3,4-ジメチル-2,5-ジオキソ-ピロール-1-イル）-安息香酸クロリド7の1.6gおよび触媒としてジメチルアミノピリジン10mgを加える。ついでトリエチルアミン30mlを連続的に撹拌しながら滴下し加える。ついで溶液を90℃で20時間撹拌する。冷却後、得られた懸濁液をエタノール300ml中に注ぎ、濾過する。白色生成物を塩化メチレンに二度懸濁し、濾過し、洗浄し、真空下で乾燥させる。収量：1g。窒素含量：Ｎ 1.27。窒素含量はグルコース単位あたり0.19の置換度と一致する。
中間体14．
セルロースと4-［（2,5-ジヒドロ-3,4-ジメチル-2,5-ジオキソ-ピロール-1-イル）-メチル］-安息香酸クロリドとの反応
中間体10の製造と同様に、セルロース10.4gを塩化ベンゾイル誘導体9の2.5gと反応させる。後処理後の収量：12g。元素分析：実測値：Ｃ 45.56; Ｈ 6.39; Ｎ 0.73; Ｏ 48.02。
中間体15．
分解セルロースと4-［（2,5-ジヒドロ-3,4-ジメチル-2,5-ジオキソ-ピロール-1-イル）メチル］-安息香酸クロリドとの反応
分解セルロース（約30の重合度）3gをピリジン120ml中に懸濁する。その混合物に4-［（2,5-ジヒドロ-3,4-ジメチル-2,5-ジオキソ-ピロール-1-イル）メチル］-安息香酸クロリド9の7.7gおよび触媒としてジメチルアミノピリジン10mgを加える。ついでトリエチルアミン15mlを連続的に撹拌しながら滴下し加える。溶液を80℃で24時間撹拌する。冷却後、得られた懸濁液をメタノール300ml中に注ぎ、濾過する。白色生成物を塩化メチレンに二度懸濁し、濾過し、洗浄し、真空下で乾燥させる。収量：2.7g。元素分析：実測値：Ｃ 51.07; Ｈ 5.89; Ｎ 2.03; Ｏ 40.88。窒素含量はグルコース単位あたり0.36の置換度と一致する。
中間体16．
セルロースと（2,5-ジヒドロ-3,4-ジメチル-2,5-ジオキソ-ピロール-1-イル）-メチル-イソシアネートとの反応
セルロース（Serva HL、綿のリンターから）10.4gを窒素気流中で浴温度125℃下フラスコ中で4.5時間乾燥させる（乾燥後9.6g）。ついで、ピリジン60ml、イソシアネート誘導体2の1.62gおよびジラウリン酸ジブチルすず0.2mlを加える。懸濁液を125℃で21時間撹拌する。冷却後、メタノール200mlを懸濁液に加えついで1時間室温で撹拌し、濾過する。固体残渣をメタノールで洗浄し、高真空下で乾燥させる。収量：10.7g。元素分析：実測値：Ｃ 43.07; Ｈ 6.21; Ｎ 1.06; Ｏ 49.88。
中間体17．
分解セルロースと（2,5-ジヒドロ-3,4-ジメチル-2,5-ジオキソ-ピロール-1-イル）メチルイソシアネートとの反応
分解セルロース（約30の重合度）5.1gを窒素気流中で浴温度125℃下フラスコ中で4.5時間乾燥させる（乾燥後4.7g）。ついで、ピリジン30ml、イソシアネート誘導体2の0.72gおよびジラウリン酸ジブチルすず0.1mlを加える。懸濁液を125℃で21時間撹拌する。冷却後、メタノール200mlを懸濁液に加えついで1時間室温で撹拌し、ついで濾過する。固体残渣をメタノールで洗浄し、高真空下で乾燥させる。収量：5.2g。元素分析：実測値：Ｃ 42.09; Ｈ 6.38; Ｎ 0.90; Ｏ 50.64。
中間体18．
セルロースと4-（2,5-ジヒドロ-3,4-ジメチル-2,5-ジオキソ-ピロール-1-イル）-1-プロピルイソシアネートとの反応
中間体17の製造と同様に、セルロース10.4gをイソシアネート誘導体4の1.9gと反応させる。後処理後の収量：11.1g。元素分析：実測値：Ｃ 42.96; Ｈ 6.44; Ｎ 1.14; Ｏ 49.16。
中間体19．
セルロースと5-（2,5-ジヒドロ-3,4-ジメチル-2,5-ジオキソ-ピロール-1-イル）-1-ペンチルイソシアネートとの反応
中間体17の製造と同様に、セルロース10.4gをイソシアネート誘導体6の2.13gと反応させる。後処理後の収量：11.5g。元素分析：実測値：Ｃ 44.30; Ｈ 6.44; Ｎ 1.59; Ｏ 47.24。
中間体20．
セルロースと4-（2,5-ジヒドロ-3,4-ジメチル-2,5-ジオキソ-ピロール-1-イル）-1-フェニルイソシアネートとの反応
中間体17の製造と同様に、セルロース10.4gをイソシアネート誘導体8の2.3gと反応させる。後処理後の収量：11.5g。元素分析：実測値：Ｃ 44.81; Ｈ 6.03; Ｎ 1.30; Ｏ 48.06。
実施例1：中間体10の2.57gを窒素気流中で浴温度120℃で3時間丸底フラスコ中で乾燥させる。ついでピリジン40ml、ジラウリン酸ジブチルすず0.1mlおよび3,5-ジメチルフェニルイソシアネート7.6gを加える。溶液を110℃で25時間撹拌する。60℃に冷却後、メタノール350mlを加える。得られた懸濁液を濾過し、濾過ケークをメタノールで洗浄する。粗生成物を塩化メチレン200mlに溶解し、溶液を濾過する。生成物をメタノール700mlを用いて沈殿させる。沈殿物を濾別し、メタノールで洗浄する。
収量：7.6g。
元素分析：実測値：Ｃ 63.20; Ｈ 6.33; Ｎ 6.83; Ｏ 23.27。
コーティング：その生成物0.63gをテトラヒドロフラン15mlに溶解する。溶液を3分割する。アミノシラン化したシリカ（Nucleosil-4000、粒子サイズ7mm、Macherey-Nagel）2.5gを連続して3部と混合し、各場合共回転蒸発器で濃縮する。真空で乾燥後、生成物3.1gが単離される。
架橋：その物質3gをヘキサン220ml（異性体混合物）中に懸濁し、撹拌する。その懸濁液を可浸性水銀灯（フィリップス、HPK-125ワット）を用いて16時間照射する。懸濁液を濾過し、濾過ケークをヘキサンで洗浄し、乾燥させる。収量2.9g。その生成物をソックスレー装置中で16時間塩化メチレンを用いて抽出する。不溶性残渣を塩化メチレン約30ml中に懸濁し、ヘキサン300mlを加える（添加速度：1.2ml/min）。生成物を濾別し、ヘキサンで洗浄する。
カラム充填剤：得られた物質2.5gをヘキサン/2-プロパノール（90：10、容量％）25ml中でスラリーとし、スラリー法を用いて100バールの圧力下でスチール・カラム（25cm × 0.4cm）に充填する。
実施例2：中間体16の2.67gを窒素を出しながら浴温度120℃で3時間丸底フラスコ中で乾燥させる。ついでついでピリジン40ml、ジラウリン酸ジブチルすず0.1mlおよび3,5-ジメチルフェニルイソシアネート7.6gを加える。溶液を110℃で25時間撹拌する。60℃に冷却後、メタノール350mlを加える。得られた沈殿物を濾別し、メタノールで洗浄する。生成物を塩化メチレン150ml中で溶解し、メタノール600mlで沈殿させることにより二度精製する。沈殿物を各場合共濾別し、メタノールで洗浄する。
収量：7.4g（生成物21）。
元素分析：実測値：Ｃ 63.85; Ｈ 6.27; Ｎ 6.98; Ｏ 22.63。
コーティング：その生成物0.63gをテトラヒドロフラン15mlに溶解する。溶液を3分割する。アミノシラン化したシリカ（Nucleosil-4000、粒子サイズ7mm、Macherey-Nagel）2.5gを連続して3部と混合し、各場合共回転蒸発器で濃縮する。真空で乾燥後、生成物3.1gを単離する。
架橋：その物質3gをヘキサン220ml（異性体混合物）中に懸濁し、撹拌する。その懸濁液を可浸性水銀灯（フィリップス、HPK-125ワット）を用いて16時間照射する。沈澱物を濾過して分け、ヘキサンで洗浄し、乾燥させる。収量2.9g。
その生成物をソックスレー装置中で16時間塩化メチレンを用いて抽出する。不溶性残渣を塩化メチレン約30mlに懸濁し、ヘキサン300mlを加える（添加速度：1.2ml/min）。生成物を濾別し、ヘキサンで洗浄する。
カラム充填剤：得られた物質2.5gをヘキサン/2-プロパノール（90:10、容量％）25ml中でスラリーとし、スラリー法を用いて100バールの圧力下でスチール・カラム（25cm × 0.4cm）に充填する。
実施例3：実施例2と同様に、中間体17の2.6gをピリジン35ml中で3,5-ジメチルフェニルイソシアネート7.4gを用いて反応させ、精製する。収量：7.4g。元素分析：実測値：Ｃ 63.94; Ｈ 6.31; Ｎ 6.90; Ｏ 22.51。コーティングは、テトラヒドロフラン（3部）24mlと共に、その生成物1.04gおよびアミノシラン化したシリカ4gを用いて同様に行う。その物質3gの架橋によりキラル固定相2.9gが得られ、これは塩化メチレンを用いて抽出し、ヘキサンを用いて洗浄する（実施例2と同様）。カラム充填は実施例2に従って行う。
実施例4：実施例2と同様に、中間体18の1.85gをピリジン30ml中で3,5-ジメチルフェニルイソシアネート5.9gを用いて反応させ、精製する。収量：5g。元素分析：実測値：Ｃ 64.26; Ｈ 6.29; Ｎ 7.09; Ｏ 22.26。コーティングは、テトラヒドロフラン（3部）15mlと共に、その生成物0.63gおよびアミノシラン化したシリカ2.5gを用いて同様に行う。収量：3.1g。その物質3gの架橋によりキラル固定相2.9gが得られ、これは塩化メチレンを用いて抽出し、ヘキサンを用いて洗浄する（実施例2と同様）。カラム充填は実施例2に従って行う。
実施例5：実施例2と同様に、中間体19の1.9gをピリジン30ml中で3,5-ジメチルフェニルイソシアネート5.9gを用いて反応させ、精製する。収量：5g。元素分析：実測値：Ｃ 63.50; Ｈ 6.27; Ｎ 7.14; Ｏ 22.91。コーティングは、テトラヒドロフラン（3部）15mlと共に、その生成物0.63gおよびアミノシラン化したシリカ2.5gを用いて同様に行う。収量：3.1g。その物質3gの架橋によりキラル固定相3gが得られ、これは塩化メチレンを用いて抽出し、ヘキサンを用いて洗浄する（実施例2と同様）。カラム充填は実施例2に従って行う。
実施例6：実施例2と同様に、中間体12の2.6gをピリジン40ml中で3,5-ジメチルフェニルイソシアネート7.6gを用いて反応させ、精製する。収量：6.9g。元素分析：実測値：Ｃ 63.07; Ｈ 6.46; Ｎ 6.79; Ｏ 23.30。コーティングは、テトラヒドロフラン（3部）15mlと共に、その生成物0.63gおよびアミノシラン化したシリカ2.5gを用いて同様に行う。収量：3.1g。その物質3gの架橋によりキラル固定相3gが得られ、これは塩化メチレンを用いて抽出し、ヘキサンを用いて洗浄する（実施例2と同様）。カラム充填は実施例2に従って行う。
実施例7：実施例2と同様に、中間体14の1.9gをピリジン30ml中で3,5-ジメチルフェニルイソシアネート5.9gを用いて反応させ、精製する。収量：5.4g。元素分析：実測値：Ｃ 64.02; Ｈ 6.23; Ｎ 6.63; Ｏ 23.11。コーティングは、テトラヒドロフラン（3部）15mlと共に、その生成物0.64gおよびアミノシラン化したシリカ2.5gを用いて同様に行う。収量：3.1g。その物質3.0gの架橋によりキラル固定相3.0gが得られ、これは塩化メチレンを用いて抽出し、ヘキサンを用いて洗浄する（実施例2と同様）。カラム充填は実施例2に従って行う。
実施例8：実施例2の生成物の製造に従って、中間体20の1.8gをピリジン30ml中で3,5-ジメチルフェニルイソシアネート5.9gを用いて反応させ、精製する。収量：5.0g（生成物22）。元素分析：実測値：Ｃ 63.96; Ｈ 6.15; Ｎ 6.86; Ｏ 23.07。コーティングは、テトラヒドロフラン（3部）24mlと共に、その生成物1gおよびアミノシラン化したシリカ4.0gを用いて同様に行う。収量：4.8g。その物質4.5gの架橋によりキラル固定相4.3gが得られ、これは塩化メチレンを用いて抽出し、ヘキサンを用いて洗浄する（実施例2と同様）。カラム充填は実施例2に従って行う。
実施例9：実施例2の生成物21の4.1gを、メタノール15mlを用いて湿らせる。Ｎ-フェニル-1-ヘプチルカルバメート12.8gの塩化メチレン105ml溶液を加える。その溶液をセルロース誘導体が完全に溶解するまで撹拌し、ついで5％ポリビニルアルコール溶液（Serva、分子量約90 000）96mlを室温で2.5時間かけて激しく撹拌しながら（500rpm）その溶液に滴下し加える。ついでその溶液をゆっくりと42℃に加熱し、塩化メチレンを蒸留し除去する（約2時間）。冷却後、残渣を濾別し、水50mlで少しずつに洗浄し、最後に、追加して、メタノール200mlで洗浄する。得られた生成物をメタノール200ml中に連続して二度懸濁し、撹拌し、濾別する。ついで生成物を室温で乾燥させる。収量：3.7g。丸い粒子からなる物質は20から30μmの粒子サイズを有している。BETによる比表面積：2.6m2/g。
架橋：その物質5.2gをヘキサン300ml（異性体混合物）中に懸濁し、350rpmで撹拌する。その懸濁液を可浸性水銀灯（フィリップス、HPK-125ワット）を用いて16時間照射する。沈澱物を濾別し、ヘキサンで洗浄し、乾燥させる。収量5.2g。
その生成物3.9gをソックスレー装置中で17時間塩化メチレンを用いて抽出する。不溶性残渣を塩化メチレン約40mlに懸濁し、ヘキサン200mlを加える（添加速度：1ml/min）。生成物を濾別し、ヘキサン100ml、水400ml、エタノール50mlおよびヘキサン200mlで連続的に洗浄する。収量：3.5g。
カラム充填剤：得られた物質2.5gをヘキサン/2-プロパノール（85：15、容量％）25mlの混合物中でスラリーとし、スラリー法を用いて3時間かけて流速2ml/minでスチール・カラム（25cm × 0.4cm）に充填する。
実施例10：実施例9と同様に、生成物22（実施例8）10gをメタノール38mlを用いて湿らせ、Ｎ-フェニル-1-ヘプチルカルバメート32gの塩化メチレン262ml溶液を加える。塩化メチレンを蒸留し除去し、固体残渣を後処理した後、生成物9.5gが単離される。収量：95％。丸い粒子からなる物質は20から30μmの粒子サイズを有している。BETによる比表面積：2.1m2/g。
架橋：実施例9と同様に、単離物質3.5gをヘキサン250ml中に懸濁し、水銀灯を用いて24時間照射する。後処理後、架橋物質3.4gを単離する。実施例9と同様に、その生成物を塩化メチレン約30mlに懸濁し、ヘキサン300mlで処理し、洗浄する。収量：3.2g。
カラム充填剤：得られた物質2.5gをヘキサン/2-プロパノール（90：10、容量％）25mlの混合物中でスラリーとし、スラリー法を用いて3時間かけて流速2ml/minでスチール・カラム（25cm × 0.4cm）に充填する。
実施例11：実施例2と同様に、中間体16の1.8gをピリジン30ml中でフェニルイソシアネート4.8gを用いて反応させ、精製する。収量：3.5g。元素分析：実測値：Ｃ 59.46; Ｈ 5.09; Ｎ 7.73; Ｏ 27.42。コーティングは、テトラヒドロフラン（3部）15mlと共に、その生成物0.64gおよびアミノシラン化したシリカ2.5gを用いて同様に行う。収量：3.1g。その物質3.0gの架橋によりキラル固定相3.0gが得られ、これは塩化メチレンを用いて抽出し、ヘキサンを用いて洗浄する（実施例2と同様）。カラム充填は実施例2に従って行う。
実施例12：実施例2と同様に、中間体16の1.8gをピリジン30ml中でフェニルイソシアネート5.3gを用いて反応させ、精製する。収量：4.0g。元素分析：実測値：Ｃ 60.99; Ｈ 5.77; Ｎ 7.36; Ｏ 25.23。コーティングは、テトラヒドロフラン（3部）15mlと共に、その生成物0.64gおよびアミノシラン化したシリカ2.5gを用いて同様に行う。収量：3.1g。その物質3.0gの架橋によりキラル固定相3.0gが得られ、これは塩化メチレンを用いて抽出し、ヘキサンを用いて洗浄する（実施例2と同様）。カラム充填は実施例2に従って行う。
実施例13：実施例2と同様に、中間体12の1.7gをピリジン30ml中で4-メチルフェニルイソシアネート5.3gを用いて反応させ、精製する。収量：4.2g。元素分析：実測値：Ｃ 61.42; Ｈ 5.77; Ｎ 7.10; Ｏ 22.17。コーティングは、テトラヒドロフラン（3部）15mlと共に、その生成物0.64gおよびアミノシラン化したシリカ2.5gを用いて同様に行う。収量：3.1g。その物質3.0gの架橋によりキラル固定相3.0gが得られ、これは塩化メチレンを用いて抽出し、ヘキサンを用いて洗浄する（実施例2と同様）。カラム充填は実施例2に従って行う。
実施例14：実施例2と同様に、中間体20の1.8gをピリジン30ml中で4-メチルフェニルイソシアネート5.3gを用いて反応させ、精製する。収量：5.0g。コーティングは、テトラヒドロフラン（3部）15mlと共に、その生成物0.65gおよびアミノシラン化したシリカ2.5gを用いて同様に行う。収量：3.1g。元素分析：実測値：Ｃ 61.21; Ｈ 5.74; Ｎ 7.28; Ｏ 25.40。その物質3.0gの架橋によりキラル固定相3.0gが得られ、これは塩化メチレンを用いて抽出し、ヘキサンを用いて洗浄する（実施例2と同様）。カラム充填は実施例2に従って行う。
実施例15：実施例2と同様に、中間体16の1.67gをピリジン30ml中で3,5-ジメチルフェニルイソシアネート5.3gを用いて反応させ、精製する。収量：5g。元素分析：実測値：Ｃ 63.35; Ｈ 6.13; Ｎ 6.72; Ｏ 23.45。コーティングは、テトラヒドロフラン（3部）15mlと共に、その生成物0.63gおよびアミノシラン化したシリカ2.5gを用いて同様に行う。収量：3.1g。その物質3gの架橋によりキラル固定相3gが得られ、これは塩化メチレンを用いて抽出し、ヘキサンを用いて洗浄する（実施例2と同様）。カラム充填は実施例2に従って行う。
実施例16：実施例2と同様に、中間体20の1gをピリジン30ml中で3,4-ジメチルフェニルイソシアネート5.3gを用いて反応させ、精製する。収量：3.0g。コーティングは、テトラヒドロフラン（3部）15mlと共に、その生成物0.64gおよびアミノシラン化したシリカ2.5gを用いて同様に行う。収量：3.0g。その物質3.0gの架橋によりキラル固定相3.0gが得られ、これは塩化メチレンを用いて抽出し、ヘキサンを用いて洗浄する（実施例2と同様）。カラム充填は実施例2に従って行う。
実施例17：実施例2と同様に、中間体16の1.5gをピリジン30ml中で4-クロロフェニルイソシアネート6.1gを用いて反応させ、精製する。収量：4.4g。元素分析：実測値：Ｃ 50.85; Ｈ 3.71; Ｎ 6.94; Ｏ 21.70; Ｃl 16.95。コーティングは、テトラヒドロフラン（3部）15mlと共に、その生成物0.64gおよびアミノシラン化したシリカ2.5gを用いて同様に行う。収量：3.1g。その物質3gの架橋によりキラル固定相3gが得られ、これは塩化メチレンを用いて抽出し、ヘキサンを用いて洗浄する（実施例2と同様）。カラム充填は実施例2に従って行う。
実施例18：中間体13の1gを4-ジメチルアミノピリジン10mgの存在下、ピリジン40mlおよびトリエチルアミン12mlからなる混合物中に懸濁する。4-メチル安息香酸クロリド7.5mlをその懸濁液に加え、混合物を窒素気流下で23時間90℃で撹拌する。冷却後、溶液をメタノール200ml中に注ぎ、沈殿物を濾別する。濾過残渣を塩化メチレンで連続して二度溶解し、濾別し、メタノール中で沈殿させる。真空下で乾燥後、生成物1.9gが単離される。
コーティング：アミノシラン化したシリカ（Nucleosil-4000、粒子サイズ7mm、Macherey-Nagel）3.0gをその生成物1.0gの塩化メチレン67ml溶液に懸濁する。ヘキサン400mlを撹拌しながら、添加速度1ml/minで懸濁液に加える。懸濁液を濾過し、真空で乾燥させる。収量：3.9g。
架橋：その物質3.5gを、水/メタノール（3:1、容量％）300ml中に懸濁し、400rpmで撹拌する。懸濁液を可浸性水銀灯（フィリップス、HPK-125ワット）を用いて20時間照射する。沈殿物を濾別し、ヘキサンで洗浄し乾燥させる。収量：3.5g。
その生成物をソックスレー装置中で塩化メチレンを用いて16時間抽出する。不溶性残渣を塩化メチレン約30mlに懸濁し、ヘキサン180mlを流速1ml/minで加える。生成物を濾別し、ヘキサンで洗浄する。
カラム充填剤：得られた物質3.2gをヘキサン/2-プロパノール（90:10、容量％）25ml中でスラリーとし、スラリー法を用いて流速2ml/minで3時間かけてスチール・カラム（25cm × 0.4cm）に充填する。
実施例19：中間体15の2.7gを4-ジメチルアミノピリジン10mgの存在下、ピリジン86mlおよびトリエチルアミン22mlからなる混合物中に懸濁する。4-メチル安息香酸クロリド20mlをその懸濁液に加え、混合物を窒素気流下で42時間60℃で撹拌する。冷却後、溶液をメタノール200ml中に注ぎ、沈殿物を濾別する。濾過残渣を塩化メチレンで連続して二度溶解し、濾別し、メタノール中で沈殿させる。真空下で乾燥後、生成物4.6gが単離される。赤外スペクトルはもはや遊離のヒドロキシル基を示さない。コーティング、架橋、抽出およびカラム充填は実施例18と同様に行う。
キラル固定相の試験：実施例1-17の相を、ラセミ体構造1-10および様々な移動相を用いて試験する（表2）。
実施例18および19の相をラセミ体構造2-5と11-15および様々な移動相を用いて試験する。
ＨＰＬＣクロマトグラフィーは島津ＬＣ-6Ａ系を用いて流速0.7ml/minにおいて室温で行う。検知はＵＶ分光計および旋光分析（Perkin Elmer 241 LC）を用いて行う。分離係数αは測定値として決定する。
α＝k’2/k’1＝（t2-t0）/（t1-t0）、ここでk’2およびk’1は第二および第一番目にそれぞれ溶出するエナンチオマーの容量比であり、t2およびt1はその保持時間である。t0はトリ-tert-ブチルベンゼン（非保持化合物）の溶出時間である。
0004201832.tif 000006
0004201832.tif 000007
0004201832.tif 000008
0004201832.tif 000009